(57)【要約】【課題】照明器具において、ランプからの光を１方向に照射するようにし、また、光照射方向を可変にすると共に器具サイズを小型に抑える。【解決手段】照明器具１は、器具本体２と、ランプ３を接続保持するランプソケット４と、ランプ３の光照射方向を調整する可動部品５とを備える。器具本体２は、立方体形状をしており、１つの面にランプ３からの光を照射する開口部２１が設けられている。可動部品５は、ランプ３の光照射方向の調整が可能なように、ランプソケット４と一体で可動軸７，８を中心として回動自在に器具本体２に軸支されている。可動部品５の可動軸７，８は、ランプ３の長さ方向の中間位置より開口部２１側に設けられており、これにより、例えば可動軸７，８がランプソケット４付近にある構成と比較してランプ３の可動範囲が小さくて済み、器具本体２を小型に抑えつつ光照射方向を調整する構造を実現できる。【選択図】図２
2007200689.tif 000002
【特許請求の範囲】
【請求項１】
ランプが器具本体内に装着され、前記ランプからの光を照射する開口部が前記器具本体の１つの面に設けられて成る照明器具において、
前記ランプが装着されるランプソケットを保持すると共に該ランプソケットと一体で可動自在に前記器具本体に軸支された、前記ランプの光照射方向を調整するための可動部品を備え、
前記可動部品の可動軸が、装着状態のランプの長さ方向の中間位置より前記開口部側に設けられていることを特徴とする照明器具。
【請求項２】
前記器具本体の光照射をしない面に設けられた不透過カバーに、前記可動部品の可動範囲を規制するストッパとなる突起部を設けたことを特徴とする請求項１に記載の照明器具。
【請求項３】
前記ランプは、前面ガラス付一般照明器具用の片口金ハロゲン電球であり、
前記可動部品は、前記片口金ハロゲン電球を該片口金ハロゲン電球の照射面端部の上部まで覆っていることを特徴とする請求項１又は請求項２に記載の照明器具。
【請求項４】
前記開口部が透光カバーにより覆われて前記器具本体を防水構造としたことを特徴とする請求項１乃至請求項３のいずれかに記載の照明器具。
【発明の詳細な説明】
【技術分野】
【０００１】
本発明は、屋内や屋外の壁等に取付けて使用される照明器具に関するものである。
【背景技術】
【０００２】
従来から、屋内や屋外の壁等に取付けて使用される照明器具は、六面体形状の器具本体内にランプが装着され、ランプからの光を照射する開口部が器具本体の上下両面に設けられたものが知られている（例えば特許文献１参照）。また、このような照明器具において、開口部からの光照射方向を調整できるようにしたものがある。
【特許文献１】特開平１０−４０７２０号公報
【発明の開示】
【発明が解決しようとする課題】
【０００３】
しかしながら、上述した従来の照明器具においては、開口部が器具本体の上下両面に設けられているため、ランプからの光を所望の１方向のみに照射させることができない。また、開口部からの光照射方向を調整する構造について、器具本体の小型化を図りつつ実現することについては十分に考慮されていない。
【０００４】
本発明は、上記課題を解決するためになされたものであり、ランプからの光を１方向に照射でき、また、光照射方向を可変できると共に器具サイズを小型に抑えることができる照明器具を提供することを目的とする。
【課題を解決するための手段】
【０００５】
上記目的を達成するために請求項１の発明は、ランプが器具本体内に装着され、ランプからの光を照射する開口部が器具本体の１つの面に設けられて成る照明器具において、ランプが装着されるランプソケットを保持すると共に該ランプソケットと一体で可動自在に器具本体に軸支された、ランプの光照射方向を調整するための可動部品を備え、可動部品の可動軸が、装着状態のランプの長さ方向の中間位置より開口部側に設けられているものである。
【０００６】
請求項２の発明は、請求項１に記載の照明器具において、器具本体の光照射をしない面に設けられた不透過カバーに、可動部品の可動範囲を規制するストッパとなる突起部を設けたものである。
【０００７】
請求項３の発明は、請求項１又は請求項２に記載の照明器具において、ランプは、前面ガラス付一般照明器具用の片口金ハロゲン電球であり、可動部品は、片口金ハロゲン電球を該片口金ハロゲン電球の照射面端部の上部まで覆っているものである。
【０００８】
請求項４の発明は、請求項１乃至請求項３のいずれかに記載の照明器具において、開口部が透光カバーにより覆われて器具本体を防水構造としたものである。
【発明の効果】
【０００９】
請求項１の発明によれば、ランプソケットを保持する可動部品の可動軸が装着状態のランプの長さ方向の中間位置より開口部側に設けられているため、例えば可動軸がランプソケット付近にある構成と比較してランプの可動範囲が小さくて済み、従って、器具本体を小型に抑えつつ光照射方向を調整する構造を実現でき、照射方向を可変できる小型でシンプルな照明器具を実現できる。また、開口部が器具本体の１つの面に設けられているため、ランプからの光は１方向のみに照射され、従って、器具本体を取付ける向きを変えることにより、ランプからの光を所望の１方向のみに照射させることができ、幅広い用途に使用できる。
【００１０】
請求項２の発明によれば、可動部品の可動範囲が突起部により規制されるため、適切な範囲を越えて可動部品が可動されることがなく、ランプの光照射方向を適切な範囲内で可変することができる。
【００１１】
請求項３の発明によれば、可動部品が片口金ハロゲン電球の照射面端部の上部まで覆っているため、片口金ハロゲン電球の照射面と逆方向に漏れる光を低減でき、壁等に光のすじやピンク色の光が映り込むことを低減できる。
【００１２】
請求項４の発明によれば、開口部が透光カバーにより覆われているため、開口部から器具本体内に水が入ることを防止でき、屋外で使用することが可能となる。
【発明を実施するための最良の形態】
【００１３】
以下、本発明を具体化した実施形態による照明器具について図面を参照して説明する。図１、図２（ａ）（ｂ）（ｃ）、図３（ａ）（ｂ）は、照明器具の構成を示す。照明器具１は、屋内や屋外において壁等に取付けて使用される照明器具であり、器具本体２と、器具本体２に装着されるランプ３と、ランプ３を接続保持するランプソケット４と、ランプソケット４と共に可動してランプ３の光照射方向を調整する可動部品５とを備える。
【００１４】
器具本体２は、内部が中空の立方体形状をしており、内部にランプソケット４及び可動部品５を収納している。器具本体２は、１つの面にランプ３からの光を照射する開口部２１が設けられ、他の４つの面に光を通さない不透過カバー２２ａ，２２ｂ，２２ｃ，２２ｄが設けられ、残りの１つの面に器具本体２を壁等に取付けるための取付け部２３が設けられている。不透過カバー２２ｄには、可動部品５の可動範囲を規制するストッパとなる突起部２４ａ，２４ｂが設けられている。不透過カバー２２ａ〜２２ｄ及び突起部２４ａ，２４ｂは、一体的に形成されており、取付け部２３に着脱自在になっている。
【００１５】
ランプ３は、例えばランプ３の片側にのみ口金３１を有すると共に前面ガラス３２を有する前面ガラス付一般照明器具用の片口金ハロゲン電球が用いられ、口金３１側の径よりも前面ガラス３２（光照射面）側の径が大きくなっている。ランプソケット４は、可動部品５に固定的に保持されており、可動部品５と共に可動するようになっている。ランプ３は、口金３１をランプソケット４に接続することにより、前面ガラス３２（光照射面）が器具本体２の開口部２１側に向けて器具本体２内に装着される。ランプ３をランプソケット４に接続した状態において、ランプ３から放射された光は、開口部２１から器具本体２の外部に向けて照射される。
【００１６】
可動部品５は、内部が中空の円柱形状をしており、内部にランプソケット４を固定的に保持している。また、可動部品５は、ランプソケット４に接続されるランプ３の前面ガラス３２（すなわち光照射面）の端部の上部まで覆う形状をしており、ランプ３の形状に合わせて、上段部５ａ（ランプ３の口金３１側）が細く、下段部５ｂ（ランプ３の前面ガラス３２側）が太くなっている。この可動部品５は、支持部材６を介して、器具本体２に回動自在に支持されている。
【００１７】
支持部材６は、第１の可動軸７により器具本体２の取付け部２３に回動自在に軸支されており、取付け部２３に対して、第１の可動軸７を中心として回動自在になっており、また、可動部品５は、第２の可動軸８により支持部材６に回動自在に軸支されており、支持部材６に対して、第２の可動軸８を中心として回動自在になっている。第１の可動軸７は、器具本体２の正面の不透過カバー２２ａと直交しており、従って、支持部材６は、第１の可動軸７を中心として、照明器具１の正面側（不透過カバー２２ａ側）から見て左右方向に回動自在になっている。また、第２の可動軸８は、第１の可動軸７と直交しており、従って、可動部品５は、第１の可動軸７を中心として、照明器具１の正面側（不透過カバー２２ａ側）から見て前後方向に回動自在になっている。つまり、可動部品５は、第１の可動軸７及び第２の可動軸８により、照明器具１の正面側（不透過カバー２２ａ側）から見て左右方向及び前後方向の２つの方向に回動自在になっている。
【００１８】
第１の可動軸７は、ランプソケット４に接続されたランプ３の長さ方向の中間位置より器具本体２の開口部２１側（ランプ３の前面ガラス３２側）に設けられている。第２の可動軸８も、第１の可動軸７と同様に、ランプソケット４に接続されたランプ３の長さ方向の中間位置より器具本体２の開口部２１側に設けられている。これら第１の可動軸７及び第２の可動軸８は、器具本体２を小型化するために、できるだけ開口部２１側に設けるのが好ましい。
【００１９】
また、支持部材６には、可動部品５の可動範囲を規制するストッパとなる延出部６１ａ，６１ｂが設けられている。延出部６１ａ，６１ｂは、第２の可動軸８による可動部品５の可動範囲（すなわち支持部材６に対する可動部品５の可動範囲）を規制するものであり、支持部材６と一体的に形成されている。延出部６１ａは、可動部品５の下段部５ｂの上面が延出部６１ａの底面に当接することにより、可動部品５の開口側（すなわちランプソケット４に接続されるランプ３の前面ガラス３２側）がそれよりも取付け部２３側（照明器具１の正面側から見て後方向）に回動するのを規制し、（図３（ａ）参照）、延出部６１ｂは、可動部品５の上段部５ａの側面が延出部６１ｂの先端に当接することにより、可動部品５の開口側がそれよりも不透過カバー２２ａ側（照明器具１の正面側から見て前方向）に回動するのを規制する（図３（ｂ）参照）。
【００２０】
また、上記突起部２４ａ，２４ｂは、第１の可動軸７による可動部品５の可動範囲（すなわち取付け部２３に対する支持部材６の可動範囲）を規制するものである。突起部２４ａは、可動部品５の上段部５ａの上側端が突起部２４ａの側面に当接することにより、可動部品５の開口側がそれよりも不透過カバー２２ｃ側（照明器具１の正面側から見て右方向）に回動するのを規制し、突起部２４ｂは、可動部品５の上段部５ａの上側端が突起部２４ｂの側面に当接することにより、可動部品５の開口側がそれよりも不透過カバー２２ｂ側（照明器具１の正面側から見て左方向）に回動するのを規制する。
【００２１】
このような構成の照明器具１は、器具本体２の取付け部２３がネジ等により壁等に固定され、不透過カバー２２ａ〜２２ｄが取付け部２３に装着されることにより、壁等に取付けられる。そして、可動部品５の向きを変えることにより、可動部品５と一緒にランプソケット４の向き（すなわちランプソケット４に接続保持されるランプ３の向き）が変わり、これにより、ランプ３の光照射方向が調整される。
【００２２】
図４（ａ）（ｂ）は、開口部２１を下向きにして照明器具１を取付けた場合の可動部品５の可動範囲を示し、図５（ａ）（ｂ）は、開口部２１を上向きにして照明器具１を取付けた場合の可動部品５の可動範囲を示す。可動部品５は、上述のように、第１の可動軸７及び第２の可動軸８により、照明器具１の正面側（不透過カバー２２ａ側）から見て左右方向及び前後方向の２つの方向に回動自在になっており、その可動範囲が突起部２４ａ，２４ｂ及び延出部６１ａ，６１ｂにより規制されている。
【００２３】
可動部品５の可動範囲は、突起部２４ａ，２４ｂ及び延出部６１ａ，６１ｂの働きにより、開口部２１の開口面に垂直な方向を基準の０°として、照明器具１の正面側から見て、左右方向に左方３０°〜右方３０°の範囲、及び前後方向に０°から前方２５°の範囲となっている。従って、開口部２１を下向きにして照明器具１を取付けた場合には、鉛直真下方向を基準として、左方３０°〜右方３０°の範囲及び鉛直真下方向から前方２５°の範囲内で、ランプ３からの光照射方向を調整することができ、開口部２１を上向きにして照明器具１を取付けた場合には、鉛直真上方向を基準として、左方３０°〜右方３０°の範囲及び鉛直真上方向から前方２５°の範囲内で、ランプ３からの光照射方向を調整することができる。
【００２４】
このような構成の照明器具１によれば、ランプ３は口金３１側の径よりも前面ガラス３２（光照射面）側の径が大きく、ランプソケット４を保持する可動部品５の可動軸７，８がランプソケット４に接続されているランプ３の長さ方向の中間位置より開口部２１側に設けられているため、例えば可動軸７，８がランプソケット４付近にある構成と比較してランプ３の可動範囲が小さくて済み、従って、器具本体２を小型に抑えつつ光照射方向を調整する構造を実現でき、照射方向を可変できる小型でシンプルな照明器具１を実現できる。
【００２５】
また、開口部２１が器具本体２の１つの面に設けられているため、ランプ３からの光は１方向のみに照射され、従って、器具本体２を取付ける向きを変えることにより、ランプ３からの光を所望の１方向のみに照射させることができ、幅広い用途に使用できる。しかも、器具本体２が立方体形状をしているため、器具本体２を取付ける向きを変えても外観形状が同じであり、より一層、幅広い用途に使用できる。
【００２６】
さらに、可動部品５の可動範囲が突起部２４ａ，２４ｂ及び延出部６１ａ，６１ｂにより規制されるため、適切な範囲を越えて可動部品５が可動されることがなく、ランプ３の光照射方向を適切な範囲内で可変することができる。また、可動部品５がランプ３の前面ガラス３２（光照射面）端部の上部まで覆っているため、ランプ３の前面ガラス３２よりも口金３１側に位置する反射板の曲面部３３から漏れる光を可動部品５によって遮光でき、壁等に光のすじやピンク色の光が映り込むことを低減できる。また、不透過カバー２２ａ〜２２ｄ及び突起部２４ａ，２４ｂが一体的に形成されており、延出部６１ａ，６１ｂが支持部材６に一体的に形成されているため、部品点数が少なく、コストダウンを図ることができる。
【００２７】
図６（ａ）（ｂ）（ｃ）は、照明器具１の別の構成例を示す。この照明器具１は、上記図１乃至図５の構成に加え、器具本体２の開口部２１を覆う透光カバー９をさらに備えており、開口部２１を透光カバー９で覆うことにより器具本体２を防水構造としている。他の構成については、上記図１乃至図５の構成と同様である。このような構成の照明器具１によれば、器具本体２の開口部２１が透光カバー９により覆われているため、開口部２１から器具本体２内に水が入ることを防止でき、屋外で使用することが可能となる。
【００２８】
なお、本発明は、上記実施形態の構成に限られず、種々の変形が可能である。例えば、器具本体２は、立方体形状に限られず、立方体以外の角筒形状や、円筒形状であってもよい。不透過カバー２２ａ〜２２ｄは、別体に構成されていてもよい。突起部２４ａ，２４ｂは、不透過カバー２２ｄと別体に構成されていてもよく、また、不透過カバー２２ｄに限られず、不透過カバー２２ｂ〜２２ｄや取付け部２３に設けられていてもよい。延出部６１ａ，６１ｂは、支持部材６と別体に構成されていてもよく、また、支持部材６に限られず、不透過カバー２２ａ〜２２ｄや取付け部２３に設けられていてもよい。ランプ３は、一般照明器具用の片口金ハロゲン電球に限られない。照明器具１は、壁に限られず、床や天井に取付けて使用することも可能である。
【図面の簡単な説明】
【００２９】
【図１】本発明の一実施形態に係る照明器具の構成を示す斜視図。
【図２】（ａ）同照明器具の正面から見た断面図、（ｂ）は同側面から見た断面図、（ｃ）は同下から見た図。
【図３】（ａ）は同照明器具のランプまわりの詳細構成を示すランプを真下に向けた状態の側面図、（ｂ）は同ランプを前方に傾けた状態の側面図。
【図４】（ａ）は同照明器具を下向きにして取付けた場合の可動部品の可動範囲を示す正面から見た断面図、（ｂ）は同側面から見た断面図。
【図５】（ａ）は同照明器具を上向きにして取付けた場合の可動部品の可動範囲を示す正面から見た断面図、（ｂ）は同側面から見た断面図。
【図６】（ａ）は同照明器具の別の構成を示す正面から見た断面図、（ｂ）は同側面から見た断面図、（ｃ）は同下から見た図。
【符号の説明】
【００３０】
１    照明器具
２    器具本体
３    ランプ
４    ランプソケット
５    可動部品
６    支持部材
７    第１の可動軸
８    第２の可動軸
９    透光カバー
２１    開口部
２２ａ，２２ｂ，２２ｃ，２２ｄ    不透過カバー
２３    取付け部
２４ａ，２４ｂ    突起部
３１    口金
３２    前面ガラス
３３    反射板の曲面部
６１ａ，６１ｂ    延出部
【図１】
2007200689.tif 000003
【図２】
2007200689.tif 000004
【図３】
2007200689.tif 000005
【図４】
2007200689.tif 000006
【図５】
2007200689.tif 000007
【図６】
2007200689.tif 000008